(57)【要約】【課題】取付具が外部に露出せずシンプルな外観とすることができ、また掃除の際に取付具が邪魔にならず、強固に且つ容易にカウンタを取付具に取付けることができるカウンタの取付構造を提供する。【解決手段】カウンタ１の後端部に後方に開口する収納凹所４を形成する。収納凹所４の上底面部５の下面に側断面鋸歯状のカウンタ側鋸歯部７を形成する。収納凹所４の下底面部６にねじ孔８を貫通形成する。取付具２の上面に側断面鋸歯状の取付具側鋸歯部１２を形成する。壁面３ａに取付けた取付具２をカウンタ１の収納凹所４内に収納する。カウンタ側鋸歯部７を取付具側鋸歯部１２に噛み合わせる。カウンタ１の下方からねじ孔８に押圧用ねじ１７を螺合する。押圧用ねじ１７の先端で取付具２を上方に押圧する。【選択図】図１
2008029429.tif 000002
【特許請求の範囲】
【請求項１】
カウンタの後端部に後方に開口する収納凹所を形成し、該収納凹所の上底面部の下面に側断面鋸歯状のカウンタ側鋸歯部を形成すると共に収納凹所の下底面部にねじ孔を貫通形成し、取付具の上面に側断面鋸歯状の取付具側鋸歯部を形成し、壁面に取付けた取付具をカウンタの収納凹所内に収納してカウンタ側鋸歯部を取付具側鋸歯部に噛み合わせ、カウンタの下方から前記ねじ孔に押圧用ねじを螺合し、該押圧用ねじの先端で取付具を上方に押圧したことを特徴とするカウンタの取付構造。
【請求項２】
前記取付具を側断面コ字状の長尺な部材で構成し、該取付具の上横片部の上面に前記取付具側鋸歯部を形成し、該取付具の縦片部をねじ具により壁面に固着し、前記押圧用ねじの先端で取付具の下横片部を上方に押圧したことを特徴とする請求項１に記載のカウンタの取付構造。
【請求項３】
前記取付具を側断面コ字状の長尺な部材で構成し、該取付具の上横片部の上面に前記取付具側鋸歯部を形成すると共に下横片部にねじ挿通孔を形成し、該取付具の縦片部をねじ具により壁面に固着し、前記押圧用ねじをねじ挿通孔に挿通すると共に該押圧用ねじの先端で取付具の上横片部を上方に押圧したことを特徴とする請求項１に記載のカウンタの取付構造。
【請求項４】
カウンタの後端部に後方に開口する収納凹所を形成し、該収納凹所の上底面部の下面に側断面鋸歯状のカウンタ側鋸歯部を形成すると共に収納凹所の下底面部に操作用孔を貫通形成し、取付具の上面に側断面鋸歯状の取付具側鋸歯部を形成すると共に下面にねじ孔を形成し、壁面に取付けた取付具をカウンタの収納凹所内に収納してカウンタ側鋸歯部を取付具側鋸歯部に噛み合わせ、取付具の前記ねじ孔に螺合した押圧用ねじの頭部を前記操作用孔を介してカウンタの下面側に露出すると共に、該押圧用ねじの頭部で操作用孔の周縁部を下方に押圧したことを特徴とするカウンタの取付構造。
【発明の詳細な説明】
【技術分野】
【０００１】
本発明は浴室の壁等に取付けられるカウンタの取付構造に関する。
【背景技術】
【０００２】
一般的なカウンタの取付構造としては例えば図５に示すものがあり、この取付構造では側断面Ｌ字状のキャリア３０の縦片３１をねじ具３２により壁面３ａに固着し、キャリア３０の横片３３上に薄板状のカウンタ１を載置すると共に、ねじ具３２によりカウンタ１をキャリア３０の横片３３に固着する。しかしこの取付構造では、カウンタ１の下方の壁面３ａやカウンタ１の下面を掃除する際にキャリア３０が邪魔になるし、またこのキャリア３０は室内側に露出するためシンプルな外観とすることができない。
【０００３】
また例えば特許文献１には、下部を壁面に取付けた取付具の上端部から前方に向けて支持棒を突出し、この支持棒を後方からカウンタ内に挿入してカウンタを支持している。しかしこの特許文献１の取付具は下部がカウンタの下方の壁面に固着されるので、カウンタ下方の壁面を掃除する際に取付具が邪魔になるし、また取付具の下部が露出してシンプルな外観にできない。またこの特許文献１には支持棒の突出方向を傾ける等してカウンタが支持棒から抜け出難いようにすることも記載されているが、この支持棒は少なくともカウンタに対して挿入できるようにする必要があり、支持棒の突出方向をそれ程傾けることができず、この結果、取付具にカウンタを強固に取付けることができない。
【特許文献１】特開２００３−３３４１２３号公報
【発明の開示】
【発明が解決しようとする課題】
【０００４】
本発明は上記従来の問題点に鑑みて発明したものであって、取付具が外部に露出せずシンプルな外観とすることができ、また掃除の際に取付具が邪魔にならず、強固に且つ容易にカウンタを取付具に取付けることができるカウンタの取付構造を提供することを課題とする。
【課題を解決するための手段】
【０００５】
上記課題を解決するために本発明の請求項１に係るカウンタの取付構造は、カウンタ１の後端部に後方に開口する収納凹所４を形成し、該収納凹所４の上底面部５の下面に側断面鋸歯状のカウンタ側鋸歯部７を形成すると共に収納凹所４の下底面部６にねじ孔８を貫通形成し、取付具２の上面に側断面鋸歯状の取付具側鋸歯部１２を形成し、壁面３ａに取付けた取付具２をカウンタ１の収納凹所４内に収納してカウンタ側鋸歯部７を取付具側鋸歯部１２に噛み合わせ、カウンタ１の下方から前記ねじ孔８に押圧用ねじ１７を螺合し、該押圧用ねじ１７の先端で取付具２を上方に押圧したことを特徴とする。このカウンタの取付構造では壁面３ａに取付けた取付具２をカウンタ１の収納凹所４に収納できる。また押圧用ねじ１７の先端で取付具２を上方に押圧するので、これに伴いカウンタ側鋸歯部７を下方の取付具側鋸歯部１２に押し付けることができ、これによりカウンタ側鋸歯部７と取付具側鋸歯部１２を強固に噛み合わせることができる。またカウンタ１を壁面３ａに固着した取付具２に取付ける際には、カウンタ側鋸歯部７を取付具側鋸歯部１２に噛み合わせてカウンタ１を取付具２に仮止めし、この後、ねじ孔８に螺合した押圧用ねじ１７の頭部１８を操作することで、押圧用ねじ１７の先端で取付具２を上方に押圧すれば良い。
【０００６】
また前記取付具２を側断面コ字状の長尺な部材で構成し、該取付具２の上横片部１０の上面に前記取付具側鋸歯部１２を形成し、該取付具２の縦片部９をねじ具１４により壁面３ａに固着し、前記押圧用ねじ１７の先端で取付具２の下横片部１１を上方に押圧することも好ましい。側断面コ字状で長尺な部材からなる単純形状の取付具２とすることができる。また押圧用ねじ１７を取付具２の下横片部１１に当てるだけで、容易にカウンタ側鋸歯部７と取付具側鋸歯部１２の噛み合いを強固なものとすることができる。また側断面コ字状の取付具２の上下の横片部１０、１１でねじ具１４の壁面３ａの固着部分を覆い隠すことができる。
【０００７】
また前記取付具２を側断面コ字状の長尺な部材で構成し、該取付具２の上横片部１０の上面に前記取付具側鋸歯部１２を形成すると共に下横片部１１にねじ挿通孔２７を形成し、該取付具２の縦片部９をねじ具１４により壁面３ａに固着し、前記押圧用ねじ１７をねじ挿通孔２７に挿通すると共に該押圧用ねじ１７の先端で取付具２の上横片部１０を上方に押圧することも好ましい。側断面コ字状で長尺な部材からなる単純形状の取付具２とすることができ、また側断面コ字状の取付具２の上下の横片部１０、１１によってねじ具１４の壁面３ａの固着部分に水等が浸入することを防止できる。また取付具２のねじ挿通孔２７に挿通した押圧用ねじ１７によってもカウンタ１が取付具２から抜け出ることを防止でき、また押圧用ねじ１７の先端でカウンタ側鋸歯部７が押し付けられる取付具２の上横片部１０を支持することができる。
【０００８】
また、本発明の請求項４に係るカウンタの取付構造は、カウンタ１の後端部に後方に開口する収納凹所４を形成し、該収納凹所４の上底面部５の下面に側断面鋸歯状のカウンタ側鋸歯部７を形成すると共に収納凹所４の下底面部６に操作用孔２８を貫通形成し、取付具２の上面に側断面鋸歯状の取付具側鋸歯部１２を形成すると共に下面にねじ孔８を形成し、壁面３ａに取付けた取付具２をカウンタ１の収納凹所４内に収納してカウンタ側鋸歯部７を取付具側鋸歯部１２に噛み合わせ、取付具２の前記ねじ孔８に螺合した押圧用ねじ１７の頭部１８を前記操作用孔２８を介してカウンタ１の下面側に露出すると共に、該押圧用ねじ１７の頭部１８で操作用孔２８の周縁部を下方に押圧したことを特徴とする。このカウンタの取付構造では壁面３ａに取付けた取付具２をカウンタ１の収納凹所４に収納できる。また押圧用ねじ１７の頭部１８でカウンタ１の操作用孔２８の周縁部を下方に押圧するので、これに伴いカウンタ側鋸歯部７を下方の取付具側鋸歯部１２に押し付けることができ、これによりカウンタ側鋸歯部７と取付具側鋸歯部１２を強固に噛み合わせることができる。またカウンタ１を壁面３ａに固着した取付具２に取付ける際には、カウンタ側鋸歯部７を取付具側鋸歯部１２に噛み合わせてカウンタ１を取付具２に仮止めし、この後、ねじ孔８に螺合した押圧用ねじ１７の頭部１８を操作することで、押圧用ねじ１７の頭部１８でカウンタ１の操作用孔２８の周縁部を下方に押圧すれば良い。
【発明の効果】
【０００９】
上記のように請求項１に係る発明では、壁面に取付けた取付具をカウンタの収納凹所に収納できるのでシンプルな外観とすることができ、また掃除の際に取付具が邪魔にならない。また押圧用ねじの先端で取付具を上方に押圧することで、カウンタ側鋸歯部と取付具側鋸歯部を強固に噛み合わせた状態でカウンタを取付具に取付けることができ、同時に収納凹所の上底面部と下底面部の間隔を収納凹所内に取付具を容易に挿入できる程度の間隔とすることができる。またカウンタを壁面に固着した取付具に取付ける際には、カウンタ側鋸歯部を取付具側鋸歯部に噛み合わせてカウンタを取付具に仮止めし、この後、ねじ孔に螺合した押圧用ねじの頭部を操作することで、押圧用ねじの先端で取付具を上方に押圧すれば良く、取付作業が容易になる。
【００１０】
また請求項２に係る発明では、請求項１に係る発明の効果に加えて、側断面コ字状で長尺な部材からなる単純形状の取付具とすることができ、コストを削減できる。また押圧用ねじを取付具の下横片部に当てるだけで、容易にカウンタ側鋸歯部と取付具側鋸歯部の噛み合いを強固なものとすることができる。また側断面コ字状の取付具の上下の横片部でねじ具の壁面の固着部分に水等が浸入することを防止できる。
【００１１】
また請求項３に係る発明では、請求項１又は請求項２に係る発明の効果に加えて、側断面コ字状で長尺な部材からなる単純形状の取付具とすることができ、コストを削減できる。また側断面コ字状の取付具の上下の横片部によってねじ具の壁面の固着部分に水等が浸入することを防止できる。また取付具のねじ挿通孔に挿通した押圧用ねじによってもカウンタが取付具から抜け出ることを防止でき、また押圧用ねじの先端でカウンタ側鋸歯部が押し付けられる取付具の上横片部を支持することができ、これらによりカウンタをより強固に取付具に取付けることができる。
【００１２】
また請求項４に係る発明では、壁面に取付けた取付具をカウンタの収納凹所に収納できるのでシンプルな外観とすることができ、また掃除の際に取付具が邪魔にならない。また押圧用ねじの頭部でカウンタの操作用孔の周縁部を下方に押圧することで、カウンタ側鋸歯部と取付具側鋸歯部を強固に噛み合わせた状態でカウンタを取付具に取付けることができ、同時に収納凹所の上底面部と下底面部の間隔を収納凹所内に取付具を容易に挿入できる程度の間隔とすることができる。またカウンタを壁面に固着した取付具に取付ける際には、カウンタ側鋸歯部を取付具側鋸歯部に噛み合わせてカウンタを取付具に仮止めし、この後、ねじ孔に螺合した押圧用ねじの頭部を操作することで、押圧用ねじの頭部でカウンタの操作用孔の周縁部を下方に押圧すれば良く、取付作業が容易になる。
【発明を実施するための最良の形態】
【００１３】
以下、本発明を添付図面に示す実施形態に基づいて説明する。図１に示す本実施形態のカウンタの取付構造では、薄板状のカウンタ１が取付具２を用いて浴室の壁３に取付けられるものであり、壁３に取付けたカウンタ１には浴室用品などを載置できるようになっている。
【００１４】
カウンタ１は図２に示すように前面が閉塞して後面が開口した中空板状の部材からなり、カウンタ１の後端部には後方に開口する収納凹所４を形成している。本実施形態の収納凹所４はカウンタ１の内部に形成された中空部１６の後端部で構成してあり、また収納凹所４の上底面部５はカウンタ１の上面部の後端部で構成され、収納凹所４の下底面部６はカウンタ１の下面部の後端部で構成されている。収納凹所４の上底面部５の下面には多数の歯からなる側断面鋸歯状のカウンタ側鋸歯部７を形成している。また収納凹所４の下底面部６のカウンタ側鋸歯部７に対向する部分には内周面に雌ねじを螺刻したねじ孔８を貫通形成している。
【００１５】
取付具２は側断面コ字状で長尺なレール状の部材からなり、縦片部９の上下両端から上横片部１０及び下横片部１１の夫々を前方に向けて突出して形成してある。取付具２の上横片部１０の上面には長手方向の全長に亘って多数の歯からなる側断面鋸歯状の取付具側鋸歯部１２を形成してあり、この取付具側鋸歯部１２は取付具２の前後方向の全長に亘る範囲に形成されている。また取付具２の縦片部９の長手方向の適宜箇所にはねじ具１４を挿通するための貫通孔１５を形成している。
【００１６】
上記取付具２を用いたカウンタ１の取付方法の一例を示す。壁面３ａにカウンタ１を取付ける場合、まず図２に示すように取付具２を水平にして縦片部９の後面を壁面３ａに当接し、この状態で縦片部９の前面側から貫通孔１５にねじ具１４を挿通して壁３に固着する。
【００１７】
次いで上記ねじ具１４により壁面３ａに固着した取付具２にカウンタ１を取付ける。カウンタ１を取付具２に取付ける場合、カウンタ１を取付具２に仮止めした後、本固定する。具体的には、まず図２の矢印に示すようにカウンタ１を移動して、図１に示すようにカウンタ１の後端面を壁面３ａに当接し、同時にこのカウンタ１の収納凹所４内に取付具２を収納して、カウンタ側鋸歯部７を取付具側鋸歯部１２上に載せて両者を噛み合わせる。これによりカウンタ１は両鋸歯部７、１２の噛み合いにより取付具２に前後移動不能に仮止めされた状態となる。
【００１８】
そして取付具２にカウンタ１を本固定する場合は、上記カウンタ１のねじ孔８に下方から螺合した押圧用ねじ１７の頭部１８をカウンタ１の下面側から回転操作具となるドライバ１９（図４参照）等で回転操作し、これにより押圧用ねじ１７をねじ孔８にねじ込んで、その先端を取付具２の下横片部１１の下面に当接して上方に押圧する。これにより押圧用ねじ１７を螺合した収納凹所４の下底面部６は図１の矢印に示すように下方に押圧されて若干弾性変形し、同時にカウンタ側鋸歯部７が取付具側鋸歯部１２に押し付けられ、これによりカウンタ側鋸歯部７と取付具側鋸歯部１２が強固に噛み合わされる。しかしてカウンタ１が取付具２を介して壁面３ａに取付けられる。
【００１９】
以上のように本発明のカウンタの取付構造では、壁面３ａに取付けた取付具２をカウンタ１の収納凹所４に収納できるので、カウンタ１の外部には取付具２が露出せず押圧用ねじ１７の頭部１８のみが露出することとなり、シンプルな外観となる。またこの場合、カウンタ１の下方の壁面３ａやカウンタ１の下面の掃除の際に取付具２が邪魔にならず、容易に清掃できる。さらには押圧用ねじ１７の先端で取付具２を上方に押圧するので、この押圧に伴って生じる反力により収納凹所４の下底面部６を下方に押圧し、これに伴いカウンタ側鋸歯部７を下方の取付具側鋸歯部１２に押し付けることができ、これによりカウンタ側鋸歯部７と取付具側鋸歯部１２を強固に噛み合わせた状態でカウンタ１を取付具２に取付けることができ、同時に収納凹所４の上底面部５と下底面部６の間隔を収納凹所４内に取付具２を容易に挿入できる程度の間隔とすることができる。またカウンタ１を取付具２に取付ける際には、前述したようにカウンタ側鋸歯部７を取付具側鋸歯部１２に噛み合わせて仮止めした状態で押圧用ねじ１７の回転操作を行うことができ、取付け作業が容易になる。またねじ具１４の壁３への固着部分はカウンタ１とコ字状の取付具２によって覆い隠されるのでねじ具１４の固着部分から水が漏れ出すことも防止できる。
【００２０】
次に上記とは異なる例を図３に示す。なお以下の説明では図１の例と同一の構成については同一の番号を付与し、重複する説明は省略する。
【００２１】
本実施形態のカウンタ１は収納凹所４の上底面部５から下方に向けて側断面Ｌ字状のＬ字状片２１を一体に突設してあり、収納凹所４の上底面部５とＬ字状片２１とで後方に開口する差込溝２２を形成している。ここでカウンタ側鋸歯部７は上底面部５の後端からＬ字状片２１の縦片２３との接続部分に亘る範囲に形成されている。またカウンタ１のＬ字状片２１の横片２４と取付具２の下横片部１１のねじ孔８に対応する位置にはねじ孔８よりも大径のねじ挿通孔２６、２７を貫通形成してあり、各ねじ挿通孔２６、２７はカウンタ１を壁面３ａに取付けた状態でねじ孔８と同軸上に位置する。
【００２２】
即ち壁面３ａに取付けた取付具２にカウンタ１を仮止めする場合は、カウンタ１の差込溝２２に取付具２の上横片部１０の先端側を差し込み、この状態でカウンタ側鋸歯部７と取付具側鋸歯部１２を噛み合わせる。そしてカウンタ１を取付具２に本固定する場合は、カウンタ１のねじ孔８に下方から螺合した押圧用ねじ１７の頭部１８をドライバ１９で回転操作し、これにより押圧用ねじ１７をねじ挿通孔２６、２７に順に通してその先端を取付具２の上横片部１０の下面に当接して上方に押圧する。これにより押圧用ねじ１７を螺合した収納凹所４の下底面部６は図１の実施形態と同様に下方に押圧されて若干変形し、同時にカウンタ側鋸歯部７が取付具側鋸歯部１２に押し付けられ、しかしてカウンタ側鋸歯部７と取付具側鋸歯部１２が強固に噛み合わされる。
【００２３】
つまり本実施形態のカウンタの取付構造では、取付具２のねじ挿通孔２６、２７に挿通した押圧用ねじ１７によってもカウンタ１が前方や側方に抜け出ることを防止でき、また押圧用ねじ１７の先端でカウンタ側鋸歯部７が押し付けられる取付具２の上横片部１０を支持することができ、これらによりカウンタ１をより強固に取付具２に取付けることができる。
【００２４】
次に上記とはさらに異なる例を図４に示す。なお以下の説明では図１の例と同一の構成については同一の番号を付与し、重複する説明は省略する。
【００２５】
本実施形態では押圧用ねじ１７を螺合するためのねじ孔８を取付具２の下横片部１１に貫通形成している。またカウンタ１の収納凹所４の下底面部６にはねじ孔８に替えて操作用孔２８を貫通形成している。操作用孔２８はトラスねじからなる押圧用ねじ１７の頭部１８よりも小径であるが、ねじ孔８に螺合した押圧用ねじ１７の頭部１８をカウンタ１の下面側からドライバ１９で回転操作できるようにドライバ１９の先端部よりも大径となっている。
【００２６】
即ち壁面３ａに取付けた取付具２にカウンタ１を仮止めする場合、予め取付具２のねじ孔８に下方から押圧用ねじ１７を螺合しておき、この押圧用ねじ１７を取付けた取付具２をカウンタ１の収納凹所４内に収納して、カウンタ側鋸歯部７と取付具側鋸歯部１２を噛み合わせる。これにより取付具２に取付けた押圧用ねじ１７の頭部１８のドライバ係合溝を形成した中央部分が操作用孔２８を介してカウンタ１の下面側に露出する。そしてカウンタ１を取付具２に本固定する場合は、取付具２のねじ孔８に螺合した押圧用ねじ１７の頭部１８を操作用孔２８を介してドライバ１９で回転操作し、これにより押圧用ねじ１７の螺合を後退させ、該押圧用ねじ１７の頭部１８で下底面部６における操作用孔２８の周縁部を下方に押圧する。これにより収納凹所４の下底面部６は図１の実施形態と同様に下方に押圧されて若干変形し、同時にカウンタ側鋸歯部７が取付具側鋸歯部１２に押し付けられ、しかしてカウンタ側鋸歯部７と取付具側鋸歯部１２が強固に噛み合わされる。つまり本実施形態のカウンタの取付構造では、押圧用ねじ１８の頭部１８もカウンタ１の収納凹所４内に収納でき、カウンタ１の外観を一層シンプルなものとできる。
【００２７】
なお上記図１〜４に示す実施形態のカウンタ側鋸歯部７は、カウンタ１の左右方向の全長に亘って設けてあっても良いし、取付具側鋸歯部１２に対応する部分のみに部分的に設けてあっても良い。また既述した実施形態のように取付具２が長尺なものの場合には、ねじ具１４や押圧用ねじ１７は対応する貫通孔１５、ねじ孔８、ねじ挿通孔２７、２８を含めて一つの取付具２に対して左右方向に複数設けることが好ましいが、取付具２が短尺な場合は１つでも良い。
【図面の簡単な説明】
【００２８】
【図１】本発明の実施の形態の一例を示すカウンタの取付構造を示す側断面図である。
【図２】壁面に取付けた取付具にカウンタを取付ける前の状態を示す説明図である。
【図３】他例のカウンタの取付構造を示す側断面図である。
【図４】さらに他例のカウンタの取付構造を示す側断面図である。
【図５】従来のカウンタの取付構造を示す側断面図である。
【符号の説明】
【００２９】
１  カウンタ
２  取付具
３ａ  壁面
４  収納凹所
５  上底面部
６  下底面部
７  カウンタ側鋸歯部
８  ねじ孔
９  縦片部
１０  上横片部
１１  下横片部
１４  ねじ具
１２  取付具側鋸歯部
１７  押圧用ねじ
２７  ねじ挿通孔
２８  操作用孔
【図１】
2008029429.tif 000003
【図２】
2008029429.tif 000004
【図３】
2008029429.tif 000005
【図４】
2008029429.tif 000006
【図５】
2008029429.tif 000007